(57)【要約】【課題】鏡筒外周部に配置された表示装置の保護を行うとともに、表示内容を拡大表示するカバーガラスを提供すること。【解決手段】レンズの鏡筒部分に設けられたレンズ情報を表示する表示装置と、 前記表示装置を保護するため、表示面から離れた位置に配置されたカバーガラスを備えるレンズにおいて、カバーガラスは前記表示内容を拡大表示できる光学系であり、カバーガラスの曲率半径のうち、表示装置に近い側の面をR1、表示装置に遠い面をR2とすると、以下の条件式を満たすことを特徴とする。       −3.0＜（R2＋R1）/（R2−R1）＜0                  （１）【選択図】図１
2016166965.tif 000002
【特許請求の範囲】
【請求項１】
レンズの鏡筒部分に設けられたレンズ情報を表示する表示装置と、前記表示装置を保護するため、表示面から離れた位置に配置されたカバーガラスにおいて、カバーガラスは前記表示装置の表示内容を拡大表示できる光学系であり、カバーガラスの曲率半径のうち、表示装置に近い側の面をR1、表示装置に遠い面をR2とすると、以下の条件式を満たすことを特徴とするカバーガラス。 
−3.0＜（R2＋R1）/（R2−R1）＜0                  （１）
【請求項２】
前記表示装置の基盤ガラスからカバーガラスのR2面までの距離をL、カバーガラスの焦点距離をｆとするとし、以下の条件式を満足することを特徴とする請求項１に記載のカバーガラス。
0＜L/f＜0.3                        （２）
【請求項３】
前記カバーガラスに用いる材料の屈折率をｎとすると、以下の条件式を満足することを特徴とする請求項１に記載のカバーガラス。
1.4＜ｎ                                   （３）
【請求項４】
前記カバーガラスは少なくとも１面が非球面形状であることを特徴とする請求項１に記載のカバーガラス。
【請求項５】
請求項１乃至請求項４の何れか一項に記載のカバーガラスを有するレンズ鏡筒。
【発明の詳細な説明】
【技術分野】
【０００１】
本発明は、レンズ交換式のカメラシステムに関わり、特に交換レンズの鏡筒部分に被写体の距離情報など撮影に必要な情報を表示する距離表示窓において、表示内容を拡大するカバーガラスに関する。
【背景技術】
【０００２】
従来から、マニュアル操作が可能な一部の交換レンズには被写体の物体距離を表示するための距離表示窓が設けられたレンズがある。この表示部は鏡筒の外周部に印字されたシート上のラベルを張り、それを保護するためのカバーガラスが配置された構造であった。この表示部を、例えば平板の液晶パネルを用いて電子表示に置き換える場合、円筒型の鏡筒の外周部にそのまま液晶パネルを張り付けると、液晶パネルの四隅が突出した形となり鏡筒の外観デザイン上好ましくない。
【０００３】
そこで、このパネルの突出部を突出させないためには、液晶パネルを鏡筒の内部に埋め込む構造としたい。この結果、液晶パネルはユーザーから見て鏡筒の奥まった位置に置くこととなるため、表示内容を拡大する、凸レンズの屈折力を有するカバーガラスが必要となる。
【０００４】
特許文献１には、携帯電話の液晶表示内容を一方向に拡大するため、カバーガラスを円柱型の凸レンズとする構造が開示されている。
【０００５】
また、特許文献２には、時計の文字盤を見やすくするため、文字が配置された場所のカバーガラスに対し、文字盤に近い側の面に適度に曲率半径を持たせることで凸レンズの効果を持たせた構造が開示されている。
【先行技術文献】
【特許文献】
【０００６】
【特許文献１】特開２００１−１２５４９５号公報
【特許文献２】特開平２−２５７０８６号公報
【発明の概要】
【発明が解決しようとする課題】
【０００７】
特許文献１では、カバーガラスのうち、表示面の特定の領域のみを拡大表示するよう部分的に凸レンズ部を備えることを特徴としている。
【０００８】
また、特許文献２では、時計用カバーガラスのうち、時計文字部の時刻表示部分のみ拡大表示するようカバーガラスの文字盤に近い側の面にレンズ部を構成したことを特徴としている。
【０００９】
特許文献１および２で開示されたレンズは、どちらも片側に強い曲率半径を有するレンズ部で構成している。従来の交換レンズの距離表示窓の開口寸法は25mmｘ6mm程度の矩形であるため、これよりも曲率半径が小さくなると、レンズとして構成することができない。
【００１０】
本発明の目的は、上述の問題点を解消するため、カバーガラスの曲率半径の両面を適切な曲率半径に設定することで、交換レンズの鏡筒径を大型化せずに、表示内容を拡大表示することが可能となる、カバーガラスを提供することにある。
【課題を解決するための手段】
【００１１】
上記の目的を達成するために、請求項１の発明は、
交換レンズの鏡筒部分に設けられたレンズ情報を表示する表示装置と、 前記表示装置を保護するため、表示面から離れた位置に配置されたカバーガラスを備えるレンズにおいて、カバーガラスは前記表示内容を拡大表示できる光学系であり、カバーガラスの曲率半径のうち、表示装置に近い側の面をR1、表示装置に遠い面をR2とすると、
以下の条件式を満たすことを特徴とするカバーガラス。 
【００１２】
−3.0＜（R2＋R1）/（R2−R1）＜0                  （１）
【発明の効果】
【００１３】
本発明によれば、表示装置を保護するとともに表示内容を拡大表示可能なカバーガラスの提供を実現できる。
【図面の簡単な説明】
【００１４】
【図１】実施例１のカバーガラスのレンズ断面図（光軸方向の断面）
【図２】実施例1の収差図
【図３】実施例２のカバーガラスのレンズ断面図（光軸方向の断面）
【図４】実施例２の収差図
【図５】実施例３のカバーガラスのレンズ断面図（光軸方向の断面）
【図６】実施例３の収差図
【発明を実施するための形態】
【００１５】
以下に、本発明の実施の形態を添付の図面に基づいて詳細に説明する。
【００１６】
本発明のカバーガラスは、レンズ情報を表示する表示装置の表示内容を拡大させるため、正の屈折力を有する１枚のレンズにより構成する。カバーガラスは表示装置との間に適度な空間を確保するよう配置する。以下に、図１〜図６に図示の実施例に基づいて詳細に説明する。
【００１７】
図１は本発明の後述する実施形態１のレンズ断面図であり、レンズ情報を表示する表示窓を保護するカバーガラスの光軸方向の断面図である。実施例１は拡大倍率1.05のカバーガラスである。図２は図１で示した実施例１の収差図である。
【００１８】
図３は本発明の後述する実施形態２のレンズ断面図であり、レンズ情報を表示する表示窓を保護するカバーガラスの光軸方向の断面図である。実施例２は拡大倍率1.07のカバーガラスである。図４は図３で示した実施例２の収差図である。
【００１９】
図５は本発明の後述する実施形態３のレンズ断面図であり、レンズ情報を表示する表示窓を保護するカバーガラスの光軸方向の断面図である。実施例３は拡大倍率1.19のカバーガラスである。図６は図５で示した実施例３の収差図である。
【００２０】
各数値実施例のレンズ断面図において、Gは液晶パネルの前側の基盤ガラス、Aは液晶パネルの表示面である。Aに表示された内容を正の屈折力のレンズにより拡大表示している。EPは観測者の瞳位置（アイポイント）である。
【００２１】
収差図中の非点収差において、Sはサジタル像面、Mはメリジオナル像面を示し、球面収差図及び倍率色収差図において、実線はd線、2点鎖線はg線を示している。
【００２２】
次に、本発明のカバーガラスの形状について説明する。
【００２３】
カバーガラスのレンズ面のうち、表示装置に近い側の面をR1、遠い側の面をR2と定義する。さらに、カバーガラスのR２はレンズ鏡筒の外周部のRに沿っている。
【００２４】
カバーガラスはレンズ鏡筒の外周部に配置されるため、鏡筒デザイン上、カバーガラスの曲率半径R2は、レンズ鏡筒の外周部の曲率半径と近い値とすることが望ましい。
【００２５】
条件式（１）は、カバーガラスの形状因子（レンズ形状）を規定する式である。
【００２６】
条件式（１）の上限値を超えると、例えば、条件式（１）が0となる形状は、両凸形状である。両凸形状とすると、カバーガラスの屈折力は過度に強まるため、歪曲収差を補正することが困難であり、所望の光学性能を達成できなくなる。
【００２７】
条件式（１）の下限値を超えると、例えば、条件式（１）が−１０となる形状は、表示装置側に凹面を向けた凹メニス形状となる。この場合は、カバーガラスの屈折力が過度に弱くなり、所望の拡大倍率を得ようとすると、カバーガラスと表示装置との間隔を必要以上に広く確保しなければならず、光学系の大型化を招く点で課題である。
【００２８】
一般に、表示装置の基盤ガラスからカバーガラスのR２面までの距離をL、カバーガラスの焦点距離をｆとすると、カバーガラスの拡大倍率Mは、
M∝L/ｆ                            （ａ）
で定義される。
【００２９】
式（ａ）より、拡大倍率Mを大きくするためには、Lを大きくする、もしくは、ｆの値を小さく、すなわち、カバーガラスの屈折力を強めることが有効である。
【００３０】
Lを過度に大きい値とすると、鏡筒径が大型化を招くため、鏡筒径の大きさとのバランスを考慮すると、ｆの値は小さくすることが望ましい。
【００３１】
しかしながら、ｆを過度に小さい値とすると、屈折力が過度に強まり、所望の光学性能を達成することが困難となる。
【００３２】
よって、所望の拡大倍率を適切な鏡筒径の大きさと光学性能を満たしつつ実現するためには、Lとｆを適切に設定することが重要である。
【００３３】
条件式（２）は、表示装置の保護ガラスからカバーガラスのR1面までの距離とカバーガラスの焦点距離を適切に設定するための条件式である。
【００３４】
条件式（２）の上限を超えると、表示装置とカバーガラスとの間隔が過度に広くなり、鏡筒径大型化を招く。
【００３５】
条件式（２）の下限値を超えると、所望の拡大倍率を得ることができなくなる点で課題を有する。
【００３６】
条件式（３）は、カバーガラスに用いる材料の屈折率を規定した式である。
【００３７】
条件式（３）の下限を超えると、所望の拡大倍率を得ようとした場合、表示装置とカバーガラスとの間隔を固定とした場合、カバーガラスの屈折力を過度に強めなければならない。
【００３８】
その結果、カバーガラスの曲率半径が過度にきつくなり、歪曲収差など所望の光学性能を達成することが困難となる。
【００３９】
また、カバーガラスは歪曲収差など良好な光学性能を得るため、少なくとも１面は非球面形状であることが望ましい。
【００４０】
本実施例では、表示装置に近い側のR1面は表示装置に対し凹面が弱くなる非球面形状とし、表示装置に遠い側のR2面は表示装置に対し、凹面が強くなる非球面形状とした。
【００４１】
こうすることで、構成枚数が少ない状況においても、所望の拡大倍率と光学性能を達成することが可能とした。
【００４２】
以上、本発明の好ましい実施例について説明したが、本発明はこれらの実施例に限定されないことはいうまでもなく、その要旨の範囲内で種々の変形及び変更が可能である。
【００４３】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、ｋ、Ａ４、Ａ６は非球面係数である。非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6
で表される。
但しＲは近軸曲率半径である。又、前述の各条件式と各数値実施例との関係を表１に示す。
【００４４】
【表１】
2016166965.tif 000003
【００４５】
数値実施例１
単位 mm
ｆ＝96.79
面データ
面番号       r        d      nd         vd
1          ∞       0.23   1.51633    64.1           
2          ∞       2.83                             
3*      -245.883    2.38   1.49171    57.4           
4*       -40.000  243.60                             
5     アイポイント
非球面データ
第3面
K = 1.50812e+002  A 4=-3.00208e-009  A 6= 5.01801e-009  
第4面
K =-1.46094e-001  A 4=0          A 6= 2.84929e-009
数値実施例２
単位 mm
ｆ＝43.70
面データ
面番号       r        d      nd         vd
1          ∞       0.23   1.51633    64.1           
2          ∞       1.23                             
3*      -113.497    2.47   1.92000    36.2           
4*       -30.000  246.07                             
5     アイポイント
非球面データ
第3面
K = 1.27266e+001  A 4=-5.65952e-008  A 6= 4.49198e-010  
第4面
K =-3.79518e-002  A 4= 7.02777e-007  A 6= 7.06732e-010
数値実施例３
単位 mm
ｆ＝28.32
面データ
面番号       r        d      nd         vd
1          ∞       0.23   1.51633    64.1           
2          ∞       2.97                             
3*      -117.989    4.06   2.09500    29.4           
4*       -25.000  242.74                             
5     アイポイント
非球面データ
第3面
K = 1.96245e+001  A 4=-5.01030e-007  A 6= 1.54269e-009  
第4面
K =-1.23362e-001  A 4= 1.20344e-006  A 6= 1.41155e-009
【符号の説明】
【００４６】
R  曲率半径、ｄ  肉厚、ｎ  屈折率
【図１】
2016166965.tif 000004
【図２】
2016166965.tif 000005
【図３】
2016166965.tif 000006
【図４】
2016166965.tif 000007
【図５】
2016166965.tif 000008
【図６】
2016166965.tif 000009